(57)【要約】【課題】カードに印字する情報と申込用紙に印字する申込関連情報のマッチングをとるのが容易であるとともに、構造が簡潔な申込用紙付き送付体を提供する。【課題の解決手段】申込用紙付き送付体１は、折り部５，６を介して連接された上紙片２、下紙片４、中紙片３が、折り部５，６で巻き込むように折り重ねられ、重ね合わせ面は剥離可能に接着されてなり、上紙片２の表出面には宛名情報９が印字され、下紙片４の表出面には差出人情報が印字される一方、中紙片３にはカード情報を印字したカード部と申込関連情報１３を印字した申込用紙部とが設けられ、カード情報と申込関連情報１３は、各紙片２，３，４を折り重ねる前の展開状態において上紙片２の表出面と同一面を形成する面に印字されてなる。【選択図】図２
2010082948.tif 000002
【特許請求の範囲】
【請求項１】
折り部を介して連接された３枚以上の紙片が、前記折り部で折り重ねられ、重ね合わせ面の少なくとも周縁部分で剥離可能に接着されてなるとともに、重ね合わせ面及び表出面には適宜な情報が印字されてなり、表出面の情報には宛名情報と差出人情報が含まれる一方、表出面を有しない紙片の１枚にはカード情報を表示したカード部と申込関連情報を表示した申込用紙部とが設けられ、前記カード情報と前記申込関連情報は、各紙片を折り重ねる前状態において前記宛名情報が印字される表出面と同一面を形成する面に印字されてなることを特徴とする申込用紙付き送付体。
【請求項２】
請求項１記載の申込用紙付き送付体において、各紙片は折り部で巻き込むように折り重ねられてなり、カード部と申込用紙部とが設けられた紙片の重ね合わせ面のうち、カード情報と申込関連情報の印字面とは反対側の重ね合わせ面は、少なくともカード部及び／又は申込用紙部に対応する部分が剥離困難に接着されてなることを特徴とする申込用紙付き送付体。
【請求項３】
請求項１又は請求項２記載の申込用紙付き送付体において、各紙片は折り部で巻き込むように折り重ねられてなり、表出面を構成する一方の紙片に、宛名情報に換えて窓部を形成し、この窓部を形成した紙片とカード部と申込用紙部とが設けられた紙片とを剥離可能に接着してなるとともに、カード情報もしくは申込関連情報の少なくとも一部が宛名情報として前記窓部から視認されるように構成したことを特徴とする申込用紙付き送付体。
【発明の詳細な説明】
【技術分野】
【０００１】
本発明は、折り部を介して連接された３枚以上の紙片が、前記折り部で折り重ねられ、折り重ね面の少なくとも周縁部分で剥離可能に接着されてなり、１枚の紙片にはカード部と申込用紙部とを設けてなる、申込用紙付き送付体に関する。
【背景技術】
【０００２】
従来、差出人に必要情報を記載して送付する申込用紙を備えた送付体として、カード付き申込封筒用紙が知られている（特許文献１）。
【０００３】
【特許文献１】特開２００５−１０４０１４号公報
【０００４】
ところが、このカード付き申込封筒用紙は、宛先に応じて変化する可変情報であるカードに印字する情報と申込時の申込関連情報のマッチングをとるのが困難であるとともに、構造が複雑で申込用の封筒を作成するのが煩雑であるという不都合があった。
【発明の開示】
【発明が解決しようとする課題】
【０００５】
本発明は、このような事情に鑑みてなされたもので、カードに印字する情報と申込時の申込関連情報のマッチングをとるのが容易であるとともに、構造が簡潔な申込用紙付き送付体を提供することを目的とする。
【課題を解決するための手段】
【０００６】
この目的を達成するために、本発明の請求項１に係る申込用紙付き往復葉書は、折り部を介して連接された３枚以上の紙片が、前記折り部で巻き込むように、もしくはジグザグに、折り重ねられ、重ね合わせ面の少なくとも周縁部分で剥離可能に接着されてなるとともに、重ね合わせ面及び表出面には適宜な情報が印字されてなり、表出面の情報には宛名情報と差出人情報が含まれる一方、表出面を有しない紙片の１枚にはカード情報を表示したカード部と申込関連情報を表示した申込用紙部とが設けられ、前記カード情報と前記申込関連情報は、各紙片を折り重ねる前の展開状態において前記宛名情報が印字される表出面と同一面を形成する面に印字されてなるものである。
【０００７】
同じく上記目的を達成するために、本発明の請求項２に係る申込用紙付き送付体は、上記請求項１記載の申込用紙付き送付体において、各紙片は折り部で巻き込むように折り重ねられてなり、カード部と申込用紙部とが設けられた紙片の重ね合わせ面のうち、カード情報と申込関連情報の印字面とは反対側の重ね合わせ面は、少なくともカード部及び／又は申込用紙部に対応する部分が剥離困難に接着されてなることを特徴とする。
【０００８】
同じく上記目的を達成するために、本発明の請求項３に係る申込用紙付き送付体は、上記請求項１又は請求項２記載の申込用紙付き送付体において、各紙片は折り部で巻き込むように折り重ねられてなり、表出面を構成する一方の紙片に、宛名情報に換えて窓部を形成し、この窓部を形成した紙片とカード部と申込用紙部とが設けられた紙片とを剥離可能に接着してなるとともに、カード情報もしくは申込関連情報の少なくとも一部が宛名情報として前記窓部から視認されるように構成したことを特徴とする。
【発明の効果】
【０００９】
本発明に係る申込用紙付き送付体によれば、カード情報と申込関連情報は、各紙片を折り重ねる前の展開状態において宛名情報を印字する表出面と同一面を形成する面に印字されるので、カード部と申込用紙部の印字データのマッチングが容易であり、また、表出面に印字するデータとカード部及び申込用紙部の印字データのマッチングも容易になり、さらには、カード部及び申込用紙部の印字データを外部から視認されることがないとともに、損傷されることなく送付できるという効果を奏する。
【発明を実施するための最良の形態】
【００１０】
以下、本発明を申込用紙付き往復葉書に適用した場合の好適な実施形態について添付図面に基づき説明する。ここにおいて、図１〜図３は第１実施形態を示すもので、図１は申込用紙付き往復葉書の平面図、図２は図１のＡ−Ａ線断面図、図３は展開状態にある葉書用シートの平面図である。また、図４〜図６は第２実施形態を示すもので、図４は申込用紙付き往復葉書の平面図、図５は図４のＢ−Ｂ線断面図、図６は展開状態にある葉書用シートの平面図である。さらに、図７〜図９は第３実施形態を示すもので、図７は申込用紙付き往復葉書の平面図、図８は図７のＣ−Ｃ線断面図、図９は展開状態にある葉書用シートの平面図である。
【００１１】
まず、図１〜図３に基づき第１実施形態を説明する。図１〜図３に示すように、申込用紙付き往復葉書１は、ほぼ同一大の上紙片２、下紙片４、中紙片３の３枚の紙片が折り部たる折り用ミシン目５と折り兼切り用ミシン目６を介して連接されてなる葉書用シート７を、前記折り用ミシン目５と折り兼切り用ミシン目６で巻き込むように折り重ねて、重ねあわせ面に全面的に塗布した接着力の弱い接着剤８によって、これら重ね合わせ面を剥離可能に接着してなる。前記上紙片２の表出面には宛名情報たる往信宛名情報９が印字されている。また、前記下紙片４の表出面には差出人情報たる往信差出人情報１０が印字されている。
【００１２】
図２及び図３に示すように、表出面を有しない中紙片３には、会員名、会員番号などのカード情報１１を印字したカード部１２と、申込関連情報である返信情報１３を印字した申込用紙部たる返信葉書部１４とが設けられ、前記各情報１１，１３は、各紙片２，３，４が折り重ねられる前の展開状態で上紙片２の表出面と同一面を形成する面に印字されてなる。すなわち、各情報９，１０，１１，１３は葉書用シート７の同一面側に印字されている。そして、カード部１２と返信葉書部１４とは、切り用ミシン目１５で区画形成されている。なお、図示してはいないが、返信葉書部１４の前記返信情報１３印字面とは反対面には、返信情報記載欄が設けられている。
【００１３】
図２に示すように、上紙片２と下紙片４における中紙片３との重ね合わせ面、及び中紙片３の図３に示す面とは反対面になる下紙片４との重ね合わせ面には、カード部１２及び返信葉書部１４に関連した隠蔽情報１６，１７，１８が印字されている。これらの隠蔽情報１６，１７，１８は葉書用シート７の図３に示す面とは反対面に印字されているものである。
【００１４】
ここで、本実施形態に係る申込用紙付き往復葉書１の作成手順を説明する。申込用紙付き往復葉書１を折り重ねる前の展開状態である葉書用シート７の白紙状態において、図３に示す同一面側に往信宛名情報９、往信差出人情報１０、カード情報１１及び返信情報１３を印字する一方、同じく他の同一面側に各隠蔽情報１６，１７，１８を印字する。次いで、上紙片２の往信宛名情報９印字面と下紙片４の往信差出人情報１０印字面が表出するように、葉書用シート７を折り用ミシン目５と折り兼切り用ミシン目６で巻き込むように折り重ね、重ね合わせ面を剥離可能な接着剤８によって剥離可能に接着して、申込用紙付き往復葉書１とする。
【００１５】
上述のように作成した、図１及び図２状態の申込用紙付き往復葉書１を受領した往信宛名人は、上紙片２及び中紙片３を順次捲り上げてそれぞれ剥離し、図３に示す展開状態にすることができる。この展開状態で、カード情報１１，返信情報１３、隠蔽情報１６，１７，１８を確認した往信宛名人は、折り兼切り用ミシン目６を破断して中紙片３を分離し、さらに、切り用ミシン目１５を破断して、カード部１２と返信葉書部１４とを分離する。そして、カード部１２は会員カードとして保管する一方、返信葉書部１４の返信情報１３と反対面側に設けた返信情報記載欄（図示せず）に、隠蔽情報１６，１７，１８に対応する返信情報を記載し、申込用紙たる返信葉書として投函するものである。
【００１６】
続いて、図４〜図６に基づき第２実施形態を説明する。図４〜図６に示すように、申込用紙付き往復葉書２１は、ほぼ同一大の上紙片２２、下紙片２４、中紙片２３の３枚の紙片が折り部たる折り兼切り用ミシン目２５及び折り用ミシン目２６を介して連接されてなる葉書用シート２７を、前記折り兼切り用ミシン目２５と折り用ミシン目２６で巻き込むように折り重ねて、中紙片２３と下紙片２４の重ね合わせ面は、全面的に塗布した接着力の強い接着剤３７によって剥離困難に接着し、上紙片２２と中紙片２３の重ね合わせ面は、全面的に塗布した接着力の弱い接着剤２８によって剥離可能に接着してなる。前記上紙片２２の表出面には宛名情報たる往信宛名情報２９が印字されている。また、前記下紙片２４の表出面には差出人情報たる往信差出人兼返信宛名情報３０が印字されている。
【００１７】
図６に示すように、表出面を有しない中紙片２３には、会員名、会員番号などのカード情報３１を印字したカード部３２と、申込関連情報たる返信差出人情報３３を印字するとともに返信情報記載欄３８を設けた申込用紙部たる返信葉書部３４が設けられ、この返信葉書部３４に対応して下紙片２４に往信差出人兼返信宛名情報３０が印字されているものである。前記各情報３０、３１，３３は、往信宛名情報２９とともに、葉書用シート２７の同一面側に印字されている。そして、カード部３２と返信葉書部３４とは、切り用ミシン目３５で区画形成されている。
【００１８】
図５に示すように、上紙片２２の中紙片２３との重ね合わせ面には、カード部３２及び返信葉書部３４に関連した隠蔽情報３６が印字されている。一方、剥離困難な重ね合わせ面である中紙片２３と下紙片２４との重ね合わせ面には、何らの情報も印字されていない。前記隠蔽情報３６は、上紙片２２の図６に示す面とは反対面に印字されているものである。
【００１９】
本実施形態における申込用紙付き往復葉書２１の作成手順は、中紙片２３と下紙片２４との重ね合わせ面を接着剤３７によって剥離困難に接着するほかは、第１実施形態の作成手順と同一であり、また、往信宛名人における使用法も前記中紙片２３と下紙片２４との重ね合わせ面を剥離しないで、折り兼切り用ミシン目２５で分離して、カード及び申込用紙たる返信葉書とするほかは、第１実施形態の使用法と同一であるから、それらの説明は省略する。
【００２０】
本実施形態においては、カード部３２及び返信葉書部３４は、中紙片２３と下紙片２４との２枚の紙片が剥離困難に接着されてなるので、適度な厚みを有し、強度的にも優れた、使い勝手のよいカード及び返信葉書を得ることができる。
【００２１】
続いて、図７〜図９に基づき第３実施形態を説明する。図７〜図９に示すように、申込用紙付き往復葉書４１は、ほぼ同一大の上紙片４２、下紙片４４、中紙片４３の３枚の紙片が折り部たる折り兼切り用ミシン目４５及び折り用ミシン目４６を介して連接されてなる葉書用シート４７を、前記折り用ミシン目４６と折り兼切り用ミシン目４５で巻き込むように折り重ねて、中紙片４３と下紙片４４の重ね合わせ面は、全面的に塗布した接着力の強い接着剤５７によって剥離困難に接着し、上紙片４２と中紙片４３の重ね合わせ面は、全面的に塗布した接着力の弱い接着剤４８によって剥離可能に接着してなる。
【００２２】
上紙片４２には透孔状の窓部５８が形成され、中紙片４３の上紙片４２との重ね合わせ面には、前記窓部５８に対応して宛名情報たる往信宛名兼返信差出人情報４９が印字されて、前記窓部５８を通して往信宛名情報として視認可能である。また、下紙片４４の表出面には差出人情報たる往信差出人兼返信宛名情報５０が印字されている。
【００２３】
図８及び図９に示すように、表出面を有しない中紙片４３には、会員名、会員番号などのカード情報５１を印字したカード部５２と、申込関連情報たる往信宛名兼返信差出人情報４９を印字し、返信情報記載欄５３を設けた申込用紙部たる返信葉書部５４とが設けられ、この返信葉書部５４に対応して下紙片４４には往信差出人兼返信宛名情報５０が印字されているものである。前記各情報４９、５０，５１は、葉書用シート２７の同一面側に印字されている。そして、カード部５２と返信葉書部５４とは、切り用ミシン目５５で区画形成されている。
【００２４】
図では明らかではないが、上紙片４２の中紙片２３との重ね合わせ面には、窓部５８よりも下の部分に、カード部５２及び返信葉書部５４に関連した隠蔽情報（図示せず）が印字されている。一方、剥離困難な重ね合わせ面である中紙片４３と下紙片４４との重ね合わせ面には、何らの情報も印字されていない。前記隠蔽情報は上紙片４２の図９に示す面とは反対面に印字されているものである。
【００２５】
本実施形態における申込用紙付き往復葉書４１の作成手順は、中紙片４３と下紙片４４との重ね合わせ面を接着剤５７によって剥離困難に接着するほかは、第１実施形態の作成手順と同一であり、また、往信宛名人における使用法も前記中紙片４３と下紙片４４との重ね合わせ面を剥離しないで、折り兼切り用ミシン目４５で分離して、カード及び返信葉書とするほかは、第１実施形態の使用法と同一であるから、それらの説明は省略する。また、本実施形態にあっても、上述した第２実施形態と同様の利点を有する。
【００２６】
なお、本発明は、上述した実施形態に限定されるものではなく、例えば、第１実施形態において、中紙片３を上紙片２に連接するよう構成すると、ジグザグ状に折り重ねた申込用紙付き往復葉書を形成できる。また申込用紙付き往復葉書１，２１，４１は３枚の紙片２，３，４，２２，２３，２４，４２，４３，４４に限らず、４枚、あるいはそれ以上の紙片を折り重ねたものでもよい。また、折り重ねた剥離可能な重ね合わせ面は、全面的に剥離可能に接着するほか、少なくとも周縁部分が剥離可能に接着されていれば足りる。さらに、第３実施形態における窓部５８は、透孔に透視可能なフィルムを貼付した構成でもよい。
【図面の簡単な説明】
【００２７】
【図１】１実施形態を示す申込用紙付き往復葉書の平面図。
【図２】同じく図１のＡ−Ａ線断面図。
【図３】同じく展開状態にある葉書用シートの平面図。
【図４】第２実施形態を示す申込用紙付き往復葉書の平面図。
【図５】同じく図４のＢ−Ｂ線断面図。
【図６】同じく展開状態にある葉書用シートの平面図。
【図７】第３実施形態を示す申込用紙付き往復葉書の平面図。
【図８】同じく図７のＣ−Ｃ線断面図。
【図９】同じく展開状態にある葉書用シートの平面図。
【符号の説明】
【００２８】
１、２１，４１      申込用紙付き往復葉書
２，２２，４２      上紙片
３，２３，４３      中紙片
４，２４，４４      下紙片
５，２６，４６      折り用ミシン目
６，２５，４５      折り兼切り用ミシン目
７，２７，４７      葉書用シート
８，２８，４８      剥離可能な接着剤
９，２９      往信宛名情報
１０      往信差出人情報
１１，３１，５１      カード情報
１２，３２，５２      カード部
１３      返信情報
１４，３４，５４    返信葉書部
１５，３５，５５      切り用ミシン目
１６，１７，１８，３６      隠蔽情報
３０，５０      往信差出人兼返信宛名情報
３３      返信差出人情報
３７，５７      剥離困難な接着剤
３８，５３      返信情報記載欄
４９      往信宛名兼返信差出人情報
５８      窓部
【図１】
2010082948.tif 000003
【図２】
2010082948.tif 000004
【図３】
2010082948.tif 000005
【図４】
2010082948.tif 000006
【図５】
2010082948.tif 000007
【図６】
2010082948.tif 000008
【図７】
2010082948.tif 000009
【図８】
2010082948.tif 000010
【図９】
2010082948.tif 000011